(57)【要約】【課題】ユーザが画面の明るさを設定する際に時間がかかっても、正しく画面の輝度調整を行うことができる映像表示装置を提供すること。【解決手段】映像表示装置は、ローカルディミング可能なバックライト（１７）を備えた映像表示装置であって、表示する映像の輝度を補正する画質調整部（１１）と、画質調整部（１１）が上記補正に用いる補正係数をユーザに設定させる際に表示するサンプル映像であって、高輝度領域の位置が画面内で変化するサンプル映像を再生するサンプル映像再生部（１８）を備えている。【選択図】図１
2018038020.tif 000002
【特許請求の範囲】
【請求項１】
ローカルディミング可能なバックライトを備えた映像表示装置であって、
表示する映像の輝度を補正する輝度補正部と、
上記輝度補正部が上記補正に用いる補正係数をユーザに設定させる際に表示するサンプル映像であって、高輝度領域の位置が画面内で変化するサンプル映像を再生するサンプル映像再生部を備えている、
ことを特徴とする映像表示装置。
【請求項２】
上記バックライトの各エリアの温度を検出する温度センサと、
上記バックライトの各エリアの輝度を、表示する映像に応じた値に設定するバックライトコントローラであって、上記温度センサにて検出された温度が予め定められた閾値を超えるエリアの輝度を、表示する映像に応じた値よりも低い値に設定するバックライトコントローラと、
を更に備えている、
ことを特徴とする請求項１に記載の映像表示装置。
【請求項３】
上記サンプル映像は、輝度の異なる複数の領域からなる領域群であって、上記複数の輝度領域のいずれか１つが上記高輝度領域である領域群を含み、
上記輝度補正部は、上記補正係数を、上記複数の領域の中からユーザが選択した領域に応じた値に設定する、
ことを特徴とする請求項１または２に記載の映像表示装置。
【請求項４】
上記サンプル映像は、上記高輝度領域とともにスライダーを含み、
上記輝度補正部は、上記補正係数を、上記スライダーを用いてユーザが指定した値に設定する、
ことを特徴とする請求項１または２に記載の映像表示装置。
【請求項５】
上記映像表示装置は、液晶表示装置である事を特徴とする請求項１から４のいずれか１項に記載の映像表示装置。
【請求項６】
請求項１から５のいずれか１項に記載の映像表示装置を備えていることを特徴とするテレビジョン受像機。
【請求項７】
請求項１から５に記載の映像表示装置を制御するコンピュータを動作させるためのプログラムであって、上記コンピュータを上記映像表示装置の各部として機能させることを特徴とするプログラム。
【請求項８】
請求項７に記載のプログラムを記録したコンピュータ読み取り可能な記録媒体。
【発明の詳細な説明】
【技術分野】
【０００１】
本発明は、映像表示装置、テレビジョン受像機、プログラム、及び記録媒に関する。
【背景技術】
【０００２】
近年、映像コンテンツのＨＤＲ（High Dynamic Range）化が進んでいる。ＨＤＲ映像に対応した液晶表示装置では、局所的に輝度が１０００ｃｄ／ｍ２を超える映像を表示することができる。
【０００３】
しかしながら、ユーザによっては、極端に高輝度な映像を好まない場合もある。このため、液晶表示装置は、通常、表示する映像の輝度を補正する機能と、輝度の補正に用いる補正係数をユーザに設定させる機能を有している。このような機能を有する液晶表示装置としては、例えば、特許文献１に記載の液晶テレビジョンが挙げられる。特許文献１に記載の液晶テレビジョンでは、画面の中央に高輝度領域を含むサンプル映像を再生しながら、輝度の補正に用いる補正係数をユーザに設定させる構成が採用されている。
【先行技術文献】
【特許文献】
【０００４】
【特許文献１】特開２０１０−１９９８１３号公報（２０１０年９月９日公開）
【発明の概要】
【発明が解決しようとする課題】
【０００５】
ところで、最近の液晶表示装置には、ローカルディミング可能なバックライトがしばしば採用されている。ここで、ローカルディミング可能なバックライトとは、複数のエリアに分割されたバックライトであって、各エリアに属する発光素子（例えば、ＬＥＤ）の輝度を映像信号の輝度分布に応じて動的に制御することができるバックライトのことを指す。
【０００６】
ＨＤＲ映像などの高輝度映像を表示可能な液晶表示装置においては、バックライトの各エリアの温度をモニタすると共に、温度が閾値を超えたエリアに属する発光素子の輝度を、映像信号の輝度分布に応じて定まる輝度よりも低くする制御が行われる。発光素子を高輝度で長時間点灯すると、この発光素子を基板に接合するための半田が加熱される。その結果、この半田において大きな温度変化が生じ、この半田がクラックすることがある。この半田にクラックが生じることで、バックライトの信頼性を低下させる原因になる。上述したような制御を行えば、このようなバックライトの信頼性の低下を未然に防ぐことができる。
【０００７】
ところが、このような液晶表示装置に特許文献１に記載の技術を適用すると、以下のような問題を生じる。すなわち、輝度の補正に用いる補正係数をユーザに設定させる際に再生されるサンプル映像において、高輝度領域が占める位置は不動である。したがって、ユーザが補正係数の設定に手間取ると、バックライトを構成する光源のうち、高輝度領域が占める位置に対応するエリアに属する光源は、高輝度での長時間点灯を余儀なくされる。そうすると、このエリアの温度が上昇し、その結果、このエリアに属する光源の輝度を下げるような制御が働き、サンプル映像において高輝度領域が本来の輝度で表示されなくなる。このようなサンプル映像を参照しながら、ユーザが輝度の補正に用いる補正係数を設定すると、補正係数が意図した値よりも高めの値に設定されてしまうことになる。
【０００８】
本発明は、上記の問題点に鑑みてなされたものであり、その目的は、輝度の補正に用いる補正係数の設定に時間が掛かっても、本来の輝度でサンプル映像を表示することが可能な映像表示装置を実現することにある。
【課題を解決するための手段】
【０００９】
上記の課題を解決するために、本発明の一態様に係る映像表示装置は、ローカルディミング可能なバックライトを備えた映像表示装置であって、表示する映像の輝度を補正する輝度補正部と、上記輝度補正部が上記補正に用いる補正係数をユーザに設定させる際に表示するサンプル映像であって、高輝度領域の位置が画面内で変化するサンプル映像を再生するサンプル映像再生部を備えている。
【発明の効果】
【００１０】
本発明の一態様によれば、輝度の補正に用いる補正係数の設定に時間が掛かっても、本来の輝度でサンプル映像を表示することできるという効果を奏する。
【図面の簡単な説明】
【００１１】
【図１】本発明の実施形態１に係る液晶表示装置の構成を示すブロック図である。
【図２】図１に示す液晶表示装置の外観を示す図である。
【図３】図１に示す液晶表示装置が備えるバックライトの構成を示す概略斜視図である。
【図４】図１に示す液晶表示装置が再生するサンプル映像を示す図である。
【図５】本発明の実施形態２に係る液晶表示装置が再生するサンプル映像を示す図である。
【図６】本発明の実施形態３に係る映像表示装置が再生するサンプル映像を示す図である。
【図７】図１、図５、又は図６に示す液晶表示装置を備えたテレビジョン受像機の構成を示すブロック図である。
【発明を実施するための形態】
【００１２】
以下、本発明の実施形態について、詳細に説明する。ただし、下記の実施形態に記載されている構成は、特に特定的な記載がない限り、本発明の範囲をそれのみに限定する趣旨ではなく、単なる説明例にすぎない。
【００１３】
〔実施形態１〕
（映像表示装置の構成）
以下では、本発明の第１の実施形態（実施形態１）に係る映像表示装置として液晶表示装置を例に挙げて説明する。
【００１４】
本発明の第１の実施形態（実施形態１）に係る液晶表示装置１の構成について、図１〜図３を参照して説明する。図１は、液晶表示装置１の構成を示すブロック図である。図２は、液晶表示装置１の外観を示す正面図である。図３は、液晶表示装置１が備えるバックライト１０の構成を示す斜視図である。
【００１５】
液晶表示装置１は、外部から取得した映像信号に基づき、その映像信号が表す映像を表示するための装置であり、図１に示すように、画質調整部（特許請求の範囲における「輝度補正部」の一例）１１、パネルコントローラ１２、液晶表示パネル１３、画像解析部１４、温度監視部１５、バックライトコントローラ１６、バックライト１７、サンプル映像再生部１８、操作受付部１９を備えている。また、液晶表示装置１は、図２に示すように、これらの部材を収容するシャーシ１ａと、シャーシ１ａを起立させるためのスタンド１ｂとを備えている。バックライト１７は、図３に示すように、複数（本実施形態においては６×４）のエリアＡ１〜Ａ２４に分割されたローカルディミング可能なバックライトであり、各エリアＡｋ（本実施形態においてはｋ＝１，２，…，２４）は、複数のＬＥＤ１７ａと、単一の温度センサ１７ｂとにより構成されている。
【００１６】
なお、本実施形態においては、液晶表示装置１が外部から取得する映像信号として、ＨＤＭＩ（High-Definition Multimedia Interface）（登録商標）端子などを介して外部から供給されるＨＤＲ（High Dynamic Range）のデジタル映像信号を想定する。ただし、本発明は、これに限定されない。すなわち、液晶表示装置１が外部から取得する映像信号は、ＨＤＭＩ端子などを介して外部から供給されるＳＤＲ（Standard Dynamic Range）のデジタル映像信号であってもよいし、Ｓ端子又はＲＣＡ端子を介して外部から供給されるコンポジット映像信号や、Ｄ端子又はコンポーネント端子を介して外部から供されるコンポーネント映像信号などのアナログ映像信号であってもよい。何れの場合も、液晶表示装置１が外部から取得した映像信号は、画質調整部１１及び画像解析部１４に供給される。この映像信号には、各フレームＦｉ（ｉ＝１，２，…，Ｎ）について、該フレームＦｉを構成する各画素Ｐｊの輝度値ｘｉｊ（ｊ＝１，２，…，Ｍ）が含まれている（Ｎは、映像信号を構成するフレーム数を表し、Ｍは、各フレームを構成する画素数を表す）。
【００１７】
以下、液晶表示装置１を構成する各部について、その機能を順に説明する。
【００１８】
画質調整部１１は、外部から取得した映像信号が表す映像、すなわち、表示しようとする映像の輝度を補正するための構成である。外部から取得した映像信号が表す映像の輝度を補正する処理は、例えば、該映像信号を構成する各フレームＦｉについて、該フレームＦｉを構成する各画素Ｐｊの輝度値ｘｉｊに補正係数α（０＜α≦１）を乗じることによって実現される。なお、この補正の処理においては、あらかじめ用意されたテーブルの値を輝度値ｘｉｊに加算又は減算することで実現しても良いし、補正係数αの乗算とテーブルの値の加算減算とを組み合わせることによって実現してもよい。また、画質調整部４は、表示しようとする映像の輝度を補正する機能のみならず、表示しようとする映像の色調その他の画質を補正する機能を有していてもよい。画質調整部４にて各画像画素の輝度値を補正された映像信号は、パネルコントローラ１２に供給される。
【００１９】
パネルコントローラ１２は、画質調整部１１から取得した映像信号が表す映像、すなわち、画質調整部１１にて輝度を補正された映像を液晶表示パネル１３に表示させるための構成である。画質調整部１１から取得した映像信号が表す映像を液晶表示パネル１３に表示させる処理は、例えば、該映像信号を構成する各フレームＦｉについて、液晶表示パネル１３を構成する各液晶画素ＬＰｊ（液晶シャッター）の開放度を、該フレームＦｉにおいて該液晶画素ＬＰｊに対応する画素Ｐｊの輝度値α・ｘｉｊに応じた開放度に制御することによって実現される（液晶パネル１３を構成する液晶画素ＬＰｊと、映像信号において各フレームＦｉを構成する画素Ｐｊとが１対１対応する場合）。
【００２０】
画像解析部１４は、外部から取得した映像信号が表す映像、すなわち、表示しようとする映像の輝度分布を各フレームＦｉの輝度分布を特定するための構成である。フレームＦｉの輝度分布を特定する処理は、例えば、バックライト１７を構成する各エリアＡｋについて、フレームＦｉにおいてエリアＡｋに対応する画素群の最大輝度値Ｍｋを特定することによって実現される。この場合、フレームＦｉにおいてバックライト１７の各エリアＡｋに対応する画素群の最大輝度値Ｍｋの集合Ｍ＝｛Ｍ１，Ｍ２，…，Ｍ２４｝が輝度分布として特定されることになる。画像解析部１４は、特定した輝度分布をバックライトコントローラ１６に供給する。
【００２１】
温度監視部１５は、バックライト１７の各エリアＡｋの温度を監視するための構成である。温度監視部１５は、バックライト１７の各エリアＡｋの温度Ｔｋを、該エリアＡｋに設けられた温度センサ１７ｂの出力に基づいて特定し、特定した温度が予め定められた閾値Ｔ０を超えているか否かを判定する。温度監視部１５は、得られた判定結果をバックライトコントローラ１６に通知する。
【００２２】
バックライトコントローラ１６は、画像解析部１４から取得した輝度分布、すなわち、表示しようとする映像の輝度分布に応じた点灯パターンでバックライト１０を点灯させるための構成である。画像解析部１４から取得した輝度分布に応じた点灯パターンでバックライトを点灯させる処理は、例えば、バックライト１７を構成する各エリアＡｋに属するＬＥＤ１７ａの輝度を、（１）該エリアＡｋの温度Ｔｋが閾値Ｔ０を超えていない場合には、画像解析部１４から取得した輝度分布Ｍ＝｛Ｍ１，Ｍ２，…，Ｍ２４｝において該エリアＡｋに対応する輝度値Ｍｋに制御し、（２）該エリアＡｋの温度Ｔｋが閾値Ｔ０を超えている場合には、該輝度値Ｍｋよりも低い輝度値Ｍｋ’（例えば、Ｍｋ’＝０．８Ｍｋ）に制御することによって実現される。
【００２３】
本実施形態に係る液晶表示装置１において特徴的な処理は、画質調整部１１が輝度の補正に用いる補正係数αをユーザに設定させる補正係数設定処理である。この補正係数設定処理は、液晶表示装置１が出荷後最初に使用される際、あるいは、ユーザが補正係数設定処理の実施を指示した際に、サンプル映像再生部１８と操作受付部１９とにより実行される。
【００２４】
サンプル映像再生部１８は、補正係数設定処理を実施している間、サンプル映像を再生するための構成である。サンプル映像再生部１８により再生されるサンプル映像は、高輝度領域の位置が画面内で変化する映像である。サンプル映像再生部１８は、不図示のメモリに格納された動画像データを復号することによって、サンプル映像を表す映像信号を得る。補正係数設定処理を実施している間、外部から入力された映像信号の代わりに、サンプル映像再生部１８により得られた映像信号が画質調整部１１及び画像解析部１４に供給される。これにより、液晶表示パネル１３には、サンプル映像再生部１８により再生され、画質調整部１１により輝度を補正されたサンプル映像が表示される。なお、サンプル映像再生部１８により再生されるサンプル映像の具体例については、参照する図面を代えて後述する。
【００２５】
操作受付部１９は、画質調整部１１が輝度の補正に用いる補正係数αを変更する（大きくする、又は、小さくする）ユーザ操作を受け付ける。補正係数αを大きくするユーザ操作は、例えば、リモートコントローラに設けられた十字ボタンの上ボタン（あるいは右ボタン）を押下する操作であり、補正係数αを小さくするユーザ操作は、例えば、リモートコントローラに設けられた十字ボタンの下ボタンを押下する操作である。補正係数αを大きくするユーザ操作を受け付けた場合、操作受付部１９は、画質調整部１１に補正係数αの値を１ステップ（例えば、０．１）大きくすることを指示する。一方、補正係数αを小さくする操作を受け付けた場合、操作受付部１９は、画質調整部１１に補正係数αの値を１ステップ小さくすることを指示する。これにより、補正係数αを変更するユーザ操作が行われると、液晶表示パネル１３には、変更後の補正係数αを用いて輝度を補正されたサンプル映像が表示される。変更後の補正係数αは、以後、外部から取得した映像信号が表す映像を表示する際にも利用される。
【００２６】
以上のように、本実施形態に係る液晶表示装置１は、輝度の補正に用いる補正係数をユーザに設定させる際に表示するサンプル映像として、高輝度領域の位置が画面内で変化するサンプル映像を表示する。このため、輝度の補正に用いる補正係数をユーザに設定させる際に、バックライト１７の特定のエリアに属するＬＥＤ１７ａが高輝度で点灯し続けるという事態が生じ難い。このため、輝度の補正に用いる補正係数をユーザに設定させる際に、バックライト１７の特定のエリアに属するＬＥＤ１７ａの輝度を、このエリアの温度を低下させるために、サンプル映像の輝度分布に応じた輝度よりも低い輝度に変更する制御が働き難い。したがって、輝度の補正に用いる補正係数をユーザに設定させる際に、サンプル映像を本来の輝度で表示することが可能になる。これにより、ユーザは、本来の輝度で表示されたサンプル映像を目視しながら、輝度の補正に用いる補正係数を設定することが可能になる。
【００２７】
（サンプル映像の具体例）
本実施形態に係る液晶表示装置１が補正係数設定処理を実施している間に表示するサンプル映像について、図４を参照して説明する。図４は、本実施形態に係る液晶表示装置１が表示するサンプル映像の具体例を示す図である。
【００２８】
本具体例に係るサンプル映像は、図４に示すように、低輝度の背景と、背景よりも輝度の高い３つの領域（本具体例においては円）からなる領域群とを含んでいる。これら３つの領域は、互いに輝度が異なっている。最も左側に配置された第１の領域は、相対的に（他の２つの領域と比べて）高い輝度を有し、最も右側に配置された第３の領域（特許請求の範囲における「高輝度領域」に対応）は、相対的に低い輝度を有し、第１の領域と第３の領域との間に配置された第２の領域は、これらの輝度の中間の輝度を有している。これら３つの領域は、図４の上段、中段、下段に示すように、時間の経過と共に画面上部から画面下部へと移動する。
【００２９】
このサンプル映像が表示されている間、ユーザは、これら３つの領域の中から１つの領域を選択することができる。ユーザによって第１の領域が選択された場合、液晶表示装置１の画質調整部１１は、補正係数αを相対的（他の２つの値と比べて）に小さい値（例えば、α＝０．６）に設定し、ユーザによって第３の領域が選択された場合、液晶表示装置１の画質調整部１１は、補正係数αを相対的に大きい値（例えば、α＝１．０）に設定し、ユーザによって第２の領域が選択された場合、液晶表示装置１の画質調整部１１は、補正係数αをこれらの値の中間の値（例えば、α＝０．８）に設定する。すなわち、液晶表示装置１の画質調整部１１は、補正係数αを、これら３つの領域の中からユーザが選択した領域に応じた値に設定する。
【００３０】
なお、領域群を構成する各領域の形状及び色、並びに、領域群を構成する領域の数及び配置は、特に限定されておらず、適宜設定することができる。また、背景の輝度及び色も、領域群を構成する各領域を背景から識別できるように設定されていればよく、特に限定されない。また、領域群の移動方向もまた特に限定されておらず、適宜設定することができる。また、領域群の位置の変化は、領域群の位置が連続的に変化する態様に限定されず、互いに異なる複数の画像において高輝度領域の位置が瞬時に切換わるような態様、すなわち、領域群の位置が断続的に変化する態様であってもよい。
【００３１】
〔実施形態２〕
本発明の第２の実施形態（実施形態２）に係る映像表示装置の一例としての液晶表示装置１について、図５を参照して説明する。本実施形態に係る液晶表示装置１は、第１の実施形態に係る液晶表示装置１と同様に構成されているため、ここではその説明を繰り返さない。
【００３２】
第１の実施形態に係る液晶表示装置１と本実施形態に係る液晶表示装置１との相違点は、補正係数設定処理を実施している間に表示するサンプル映像である。図５は、本実施形態に係る液晶表示装置１が補正係数設定処理を実施している間に表示するサンプル映像を示す図である。
【００３３】
本実施形態に係る液晶表示装置１が表示するサンプル映像は、図５に示すように、動く太陽を含む海の映像である。このサンプル映像においては、画面左方に表れた太陽（特許請求の範囲における「高輝度領域」）が時間の経過と共に円弧を描くように画面右方に移動する。
【００３４】
このサンプル映像には、ユーザに補正係数を指定させるためのスライダーが含まれている。このサンプル映像が表示されている間、ユーザは、スライダーを用いて補正係数αを指定することで、サンプル映像に表示される太陽の輝度を任意に変更することができる。液晶表示装置１の画質調整部１１は、補正係数αを、ユーザが指定した値に設定する。
【００３５】
なお、サンプル映像を構成する海及び空の輝度及び色は、太陽を背景から識別できるように設定されていればよく、特に限定されない。また、サンプル映像中において高輝度領域が移動し、スライダーを用いてユーザに補正係数を指定させることができるのであれば、サンプル映像は太陽を含む海の映像に限定されない。
【００３６】
〔実施形態３〕
本発明の第３の実施形態（実施形態３）に係る映像表示装置の一例としての液晶表示装置１について、図６を参照して説明する。本実施形態に係る液晶表示装置１は、第１の実施形態に係る液晶表示装置１と同様に構成されているため、ここではその説明を繰り返さない。
【００３７】
第１の実施形態に係る液晶表示装置１と本実施形態に係る液晶表示装置１との相違点は、補正係数設定処理を実施している間に表示するサンプル映像である。図６は、本実施形態に係る液晶表示装置１が補正係数設定処理を実施している間に表示するサンプル映像を示す図である。
【００３８】
本実施形態に係る液晶表示装置１が表示するサンプル映像は、図６に示すように、動く金魚を含む水中の映像である。このサンプル映像においては、画面左方に表れた金魚（特許請求の範囲における「高輝度領域」）が時間の経過と共に直線を描くように画面右方に移動する。
【００３９】
このサンプル映像には、ユーザに補正係数を指定させるためのスライダーが含まれている。このサンプル映像が表示されている間、ユーザは、スライダーを用いて補正係数αを指定することで、サンプル映像に表示される金魚の輝度を任意に変更することができる。液晶表示装置１の画質調整部１１は、補正係数αを、ユーザが指定した値に設定する。
【００４０】
なお、サンプル映像を構成する背景の輝度及び色は、金魚を背景から識別できるように設定されていればよく、特に限定されない。また、サンプル映像中において高輝度領域が移動し、スライダーを用いてユーザに補正係数を指定させることができるのであれば、サンプル映像は動く金魚を含む水中の映像に限定されない。
【００４１】
〔実施形態４〕
本発明の第４の実施形態（実施形態４）に係るテレビジョン受像機１００について、図７を参照して説明する。図７は、本実施形態に係るテレビジョン受像機１００の構成を示すブロック図である。
【００４２】
テレビジョン受像機１００は、図７に示すように、液晶表示装置１及びチューナ１０１を備える構成となっている。なお、本実施形態に係る液晶表示装置１は、第１の実施形態に係る液晶表示装置１と同様に構成されているため、ここではその説明を繰り返さない。
【００４３】
本実施形態に係るテレビジョン受像機１００においては、アンテナによって受信した放送波がチューナ１０１に供給される。チューナ１０１は、受信した放送波より映像信号を復調する。チューナ１０１にて復調された映像信号は、液晶表示装置１に供給される。液晶表示装置１は、第１の実施形態に係る液晶表示装置１と同様の処理を実施し、取得した映像信号に基づき、その映像信号が表す映像を表示する。
【００４４】
なお、チューナ１０１は、受信した放送波より音声信号を映像信号と共に復調する。テレビジョン受像機１００は、不図示の音声信号処理回路及びスピーカを備えており、チューナ１０１にて復調された音声信号は、この音声信号処理回路にて処理された後、このスピーカから出力される。
【００４５】
〔ソフトウェアによる実現例〕
液晶表示装置１の制御ブロック（特に、画質調整部１１、パネルコントローラ１２、画像解析部１４、温度監視部１５、バックライトコントローラ１６、サンプル映像再生部１８、及び操作受付部１９）は、集積回路（ＩＣチップ）等に形成された論理回路（ハードウェア）によって実現してもよいし、ＣＰＵ（Central Processing Unit）を用いてソフトウェアによって実現してもよい。
【００４６】
後者の場合、液晶表示装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００４７】
〔まとめ〕
本発明の態様１に係る映像表示装置は、ローカルディミング可能なバックライト１７を備えた映像表示装置であって、表示する映像の輝度を補正する輝度補正部１１と、上記輝度補正部１１が上記補正に用いる補正係数をユーザに設定させる際に表示するサンプル映像であって、高輝度領域の位置が画面内で変化するサンプル映像を再生するサンプル映像再生部１８を備えている。
【００４８】
上記の構成によれば、輝度の補正に用いる補正係数の設定に時間が掛かっても、本来の輝度でサンプル映像を表示することできるという効果を奏する。
【００４９】
本発明の態様２に係る映像表示装置は、上記態様１において、上記バックライト１７の各エリアの温度を検出する温度センサ１７ｂと、上記バックライト１７の各エリアの輝度を、表示する映像に応じた値に設定するバックライトコントローラ１６であって、上記温度センサ１７ｂにて検出された温度が予め定められた閾値を超えるエリアの輝度を、表示する映像に応じた値よりも低い値に設定するバックライトコントローラ１６と、を更に備えていてもよい。
【００５０】
上記の構成によれば、高輝度領域を含む映像を長時間表示し続けた場合、バックライトにおいて高輝度領域に対応するエリアの輝度を低下させる制御が働く。このため、当該エリアに含まれる光源を基板に固定するための半田にクラックが生じるという問題を回避することができる。ただし、サンプル映像を表示している間は、この制御が働かない。なぜなら、サンプル映像は、高輝度領域の位置が画面内で変化する映像であるため、サンプル映像を表示している間は、バックライトの特定のエリアが高輝度で点灯し続けることがないからである。したがって、輝度の補正に用いる補正係数の設定に時間が掛かっても、本来の輝度でサンプル映像を表示することできる。
【００５１】
本発明の態様３に係る映像表示装置は、上記態様１または２において、上記サンプル映像は、輝度の異なる複数の領域からなる領域群であって、上記複数の輝度領域のいずれか１つが上記高輝度領域である領域群を含み、上記輝度補正部１１は、上記補正係数を、上記複数の領域の中からユーザが選択した領域に応じた値に設定してもよい。
【００５２】
上記構成によれば、ユーザは、サンプル映像を目視しながら領域を選択することによって、輝度の補正に用いる補正係数を直感的に設定することができる。
【００５３】
本発明の態様４に係る映像表示装置は、上記態様１または２において、上記サンプル映像は、上記高輝度領域とともにスライダーを含み、上記輝度補正部１１は、上記補正係数を、上記スライダーを用いてユーザが指定した値に設定してもよい。
【００５４】
上記の構成によれば、ユーザは、サンプル映像を目視しながらスライダーを操作することによって、輝度の補正に用いる補正係数を直感的に設定することができる。
【００５５】
本発明の態様５に係る映像表示装置は、前記態様１〜４において、上記映像表示装置は、液晶表示装置であってもよい。
【００５６】
本発明の態様６のテレビジョン受像機１００は、前記態様１〜５のいずれかの態様の映像表示装置を備えている。
【００５７】
上記の構成によれば、前記態様１〜５の映像表示装置と同様の作用効果を奏する。
【００５８】
また、本発明の態様１〜５に係る映像表示装置は、コンピュータによって実現してもよく、この場合には、コンピュータを上記映像表示装置が備える各部（ソフトウェア要素）として動作させることにより上記映像表示装置をコンピュータにて実現させる映像表示装置のプログラム、およびそれを記録したコンピュータ読み取り可能な記録媒体も、本発明の範疇に入る。
【００５９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６０】
１  液晶表示装置
１１  画質調整部
１２  パネルコントローラ
１３  液晶表示パネル
１４  画像解析部
１５  温度監視部
１６  バックライトコントローラ
１７  バックライト
１７ａ  ＬＥＤ
１７ｂ  温度センサ
１８  サンプル映像再生部
１９  操作受付部
１００  テレビジョン受像機
１０１  チューナ
【図１】
2018038020.tif 000003
【図２】
2018038020.tif 000004
【図３】
2018038020.tif 000005
【図４】
2018038020.tif 000006
【図５】
2018038020.tif 000007
【図６】
2018038020.tif 000008
【図７】
2018038020.tif 000009
【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
ローカルディミング可能なバックライトを備えた映像表示装置であって、
表示する映像の輝度を補正する輝度補正部と、
上記輝度補正部が上記補正に用いる補正係数をユーザに設定させる際に表示するサンプル映像であって、画面内において他の領域に比べて輝度が高い領域である高輝度領域の位置が上記画面内で変化するサンプル映像を再生するサンプル映像再生部と、
上記バックライトの各エリアの温度を検出する温度センサと、
上記バックライトの各エリアの輝度を、表示する映像に応じた値に設定するバックライトコントローラであって、上記温度センサにて検出された温度が予め定められた閾値を超えるエリアの輝度を、表示する映像に応じた値よりも低い値に設定するバックライトコントローラと、
を備えていることを特徴とする映像表示装置。
【請求項２】
上記サンプル映像は、輝度の異なる複数の領域からなる領域群であって、上記複数の輝度領域のいずれか１つが上記高輝度領域である領域群を含み、
上記輝度補正部は、上記補正係数を、上記複数の領域の中からユーザが選択した領域に応じた値に設定する、
ことを特徴とする請求項１に記載の映像表示装置。
【請求項３】
上記サンプル映像は、上記高輝度領域とともにスライダーを含み、
上記輝度補正部は、上記補正係数を、上記スライダーを用いてユーザが指定した値に設定する、
ことを特徴とする請求項１に記載の映像表示装置。
【請求項４】
上記映像表示装置は、液晶表示装置である事を特徴とする請求項１から３のいずれか１項に記載の映像表示装置。
【請求項５】
請求項１から４のいずれか１項に記載の映像表示装置を備えていることを特徴とするテレビジョン受像機。
【請求項６】
請求項１から４に記載の映像表示装置を制御するコンピュータを動作させるためのプログラムであって、上記コンピュータを上記映像表示装置の各部として機能させることを特徴とするプログラム。
【請求項７】
請求項６に記載のプログラムを記録したコンピュータ読み取り可能な記録媒体。